(57)【要約】【課題】ユーザの利便性を向上させる。【解決手段】光照射装置は、画像を撮像する撮像部と、撮像部が撮像した画像に電子機器の画像が含まれる場合に、電子機器の画像から、電子機器に表示される情報であって、受光した光によって発電した電力を電子機器に供給する光発電部に関する給電情報を取得する取得部と、取得部が取得した給電情報に基づく照射状態によって光を照射する照射部とを備える。【選択図】図３
2014225072.tif 000002
【特許請求の範囲】
【請求項１】
画像を撮像する撮像部と、
前記撮像部が撮像した画像に電子機器が含まれる場合に、前記電子機器の画像から、前記電子機器に表示される情報であって、受光した光によって発電した電力を前記電子機器に供給する光発電部に関する給電情報を取得する取得部と、
前記取得部が取得した前記給電情報に基づく照射状態によって光を照射する照射部と、
を備える光照射装置。
【請求項２】
前記給電情報には、前記光発電部の受光範囲を示す情報が含まれ、
前記照射部は、
前記給電情報が示す前記受光範囲と前記光の照射範囲とが重なるようにして、前記照射範囲を制御し、制御した前記照射範囲に光を照射する
請求項１に記載の光照射装置。
【請求項３】
前記給電情報には、前記光発電部が要求する光量を示す情報が含まれ、
前記照射部は、
前記給電情報に基づく光量によって、前記電子機器の光発電範囲に光を照射する
請求項１または請求項２に記載の光照射装置。
【請求項４】
前記取得部は、
前記撮像部が撮像した画像に、電子機器の画像が含まれる場合に、前記電子機器の画像から、前記電子機器に表示される情報であって、当該電子機器の充電状態を示す情報を取得し、
前記照射部は、
前記取得部が取得した前記充電状態を示す情報に基づく光量の光を照射する
請求項１から請求項３のいずれか一項に記載の光照射装置。
【請求項５】
前記照射部は、
前記取得部が取得した前記充電状態を示す情報が充電の完了を示す場合に、光の照射を停止する
請求項４に記載の光照射装置。
【請求項６】
前記撮像部が撮像した画像に、前記光発電部の画像が含まれる場合に、前記光発電部の画像が示す前記光発電部の位置に基づいて、前記照射部が照射する光が前記光発電部に入射する入射角を算出する算出部
を備え、
前記照射部は、
前記算出部が算出した前記入射角が所定の範囲である場合に、前記照射状態を示す情報を前記光発電部の受光範囲外に照射する
請求項１から請求項５のいずれか一項に記載の光照射装置。
【請求項７】
前記照射部は、
前記電子機器が前記給電情報を表示するために必要な電力に応じた光量の光を照射するとともに、当該光量の光を照射した後に点滅光を照射し、
前記撮像部は、
前記照射部が前記点滅光を照射した後に、電子機器が表示した給電情報を撮像する
請求項１から請求項６のいずれか一項に記載の光照射装置。
【請求項８】
前記照射状態には、前記光の照射範囲を含み、
前記照射部は、
前記照射範囲を定める光学部材と、
前記光学部材を駆動する駆動部と
を備え、
前記駆動部が前記光学部材を駆動することにより前記照射範囲を制御する
請求項１から請求項７のいずれか一項に記載の光照射装置。
【請求項９】
前記照射部は、
前記取得部が取得した前記給電情報に基づく照射状態によって、可視光である光を照射する
請求項１から請求項８のいずれか一項に記載の光照射装置。
【請求項１０】
受光した光によって発電する光発電部から受電する受電部と、
前記光発電部に関する給電情報を表示する表示部と、
を備え、
前記受電部が受電した電力によって動作する電子機器。
【請求項１１】
受光した光によって発電する光発電部から受電する受電部と、前記光発電部に関する給電情報を表示する表示部とを備え、前記受電部が受電した電力によって動作する電子機器と、
画像を撮像する撮像部と、前記撮像部が撮像した画像に前記電子機器の画像が含まれる場合に前記電子機器の画像から、前記電子機器に前記表示される情報であって、前記光発電部に関する前記給電情報を取得する取得部と、前記取得部が取得した前記給電情報に基づく照射状態によって光を照射する照射部とを備える光照射装置と、
を備える光照射システム。
【発明の詳細な説明】
【技術分野】
【０００１】
本発明は、光照射装置、電子機器、及び光照射システムに関する。
【背景技術】
【０００２】
近年、発電パネルを備える様々な電子機器が知られている。例えば特許文献１には、発光ダイオード（ＬＥＤ）が発した光を受けて発電する発電パネルを備える電子機器が記載されている。
【先行技術文献】
【特許文献】
【０００３】
【特許文献１】特開２００４−３２０９７６号公報
【発明の概要】
【発明が解決しようとする課題】
【０００４】
しかしながら、特許文献１記載の技術では、給電対象の電子機器を給電可能な所定の位置に置かなければならずユーザの利便性が悪い。このように従来技術においては、ユーザの利便性を向上させることができないことがあるという問題があった。本発明は上記の点に鑑みてなされたものであり、ユーザの利便性を向上させることができる光照射装置、電子機器、及び光照射システムを提供する。
【課題を解決するための手段】
【０００５】
本発明の一態様は、画像を撮像する撮像部と、前記撮像部が撮像した画像に電子機器の画像が含まれる場合に、前記電子機器の画像から、前記電子機器に表示される情報であって、受光した光によって発電した電力を前記電子機器に供給する光発電部に関する給電情報を取得する取得部と、前記取得部が取得した前記給電情報に基づく照射状態によって光を照射する照射部と、を備える光照射装置である。
【０００６】
また、本発明の一態様は、受光した光によって発電する光発電部から受電する受電部と、前記光発電部に関する給電情報を表示する表示部と、を備え、前記受電部が受電した電力によって動作する電子機器である。
【０００７】
また、本発明の一態様は、受光した光によって発電する光発電部から受電する受電部と、前記光発電部に関する給電情報を表示する表示部とを備え、前記受電部が受電した電力によって動作する電子機器と、画像を撮像する撮像部と、前記撮像部が撮像した画像に前記電子機器の画像が含まれる場合に前記電子機器の画像から、前記電子機器の前記表示部される情報であって、前記光発電部に関する給電情報を取得する取得部と、前記取得部が取得した前記給電情報に基づく照射状態によって光を照射する照射部とを備える光照射装置と、を備える光照射システムである。
【発明の効果】
【０００８】
本発明によれば、ユーザの利便性を向上させることができる。
【図面の簡単な説明】
【０００９】
【図１】本発明の第１の実施形態に係る電子機器の外観の一例を示す概略図である。
【図２】本実施形態の光照射システムの使用の一例を示す模式図である。
【図３】本実施形態の光照射システムの構成の一例を示す構成図である。
【図４】本実施形態の光照射システムの動作の一例を示すフローチャートである。
【図５】本発明の第２の実施形態に係る光照射システムの構成の一例を示す構成図である。
【発明を実施するための形態】
【００１０】
［第１の実施形態］
以下、図面を参照しながら本発明の実施形態について詳しく説明する。以下、各図の説明においては、電子機器座標系および撮像範囲座標系の２つの直交座標系を設定し、直交座標系を参照しつつ各部の位置関係について説明する。電子機器座標系とは、図１に示すｘｙｚ直交座標系である。この電子機器座標系は、電子機器１００の筐体の頂点を原点とし、筐体の左右方向をｘ軸、筐体の上下方向をｙ軸、筐体の厚み方向をｚ軸とする。また、撮像範囲座標系とは、図２に示すＸＹＺ直交座標系である。この撮像範囲座標系は、光照射装置２００の撮像部２１０が撮像する撮像範囲ＩＡの位置を定義する座標系であり、撮像範囲ＩＡ内の位置を互いに直交するＸ軸、Ｙ軸、Ｚ軸の各座標によって示す。
【００１１】
図１は、本発明の第１の実施形態に係る電子機器１００の外観の一例を示す概略図である。この電子機器１００は、例えば、光発電機能を有する携帯電話である。具体的には、この電子機器１００は、後述する二次電池１６０を備えており、この二次電池１６０の電力によって動作する。また、この電子機器１００は、光発電部１１０によって発電した電力をこの二次電池１６０に充電する機能を有している。また、電子機器１００は、二次電池１６０の充電状態を第２表示部１３０の充電状態表示領域１３１に表示する。この充電状態とは、例えば、二次電池１６０の電力の残量である。電子機器１００は、充電状態表示領域１３１に二次電池１６０の電力の残量をバーグラフによって表示する。この具体例において、バーグラフは、二次電池１６０の電力の残量を２５％ごとに１本のバーによって示す、４本のバーによって構成されている。例えば、図１の具体例においては、電子機器１００は、充電状態表示領域１３１に２本のバーを表示することにより、二次電池１６０の電力の残量が５０％程度であることを示している。
【００１２】
また、この電子機器１００は、表示部１２０を備えている。電子機器１００は、表示部１２０に、光発電部１１０に関する給電情報を表示する。ここで、光発電部１１０に関する給電情報は、例えば、２次元コードなどの符号化された図形や記号、文字によって構成されている。この給電情報には、光発電部１１０の位置、大きさや受光範囲を示す情報、発電に必要な光量を示す情報、発電性能を示す情報が含まれる。具体的には、この表示部１２０は、この表示部１２０の位置を基準にした光発電部１１０の位置を示す給電情報を表示する。例えば、図１に示すように、表示部１２０の位置Ｘ０からＸ方向にずれた範囲（例えば、Ｘ方向のＸ１からＸ２までの範囲）に光発電部１１０がある場合には、表示部１２０は、光発電部１１０がＸ方向のＸ１からＸ２までの範囲にあることを示す給電情報を表示する。
【００１３】
次に、図２を参照して、電子機器１００と、光照射装置２００とを含む光照射システム１の構成について説明する。
図２は、本実施形態の光照射システム１の使用の一例を示す模式図である。同図に示すように、光照射装置２００は、撮像部２１０を備えている。この撮像部２１０は、撮像範囲ＩＡ内の画像を撮像する。図２に示すように、撮像範囲ＩＡ内に電子機器１００がある場合には、撮像部２１０が撮像した画像に、電子機器１００の表示部１２０に表示されている給電情報の画像が含まれている。この場合には、光照射装置２００は、撮像した画像に含まれる給電情報に基づいて、電子機器１００の光発電部１１０の位置を判定し、判定した位置に対して照射部２４０が光Ｌを照射する。この照射部２４０は、撮像範囲ＩＡ内のいずれの位置に対しても光Ｌを照射可能である。また、照射部２４０は、光Ｌが照射される範囲を可変することができる。このように構成することにより、光照射装置２００は、電子機器１００が撮像範囲ＩＡ内にある場合には、電子機器１００の光発電部１１０の位置に光Ｌを照射することができる。
【００１４】
次に、図３を参照して、光照射システム１のより具体的な構成について説明する。
図３は、本実施形態の光照射システムの構成の一例を示す構成図である。
電子機器１００は、光発電部１１０と、表示部１２０と、第２表示部１３０と、受電部１４０と、制御部１５０と、二次電池１６０と、記憶部１７０とを備える。
【００１５】
光発電部１１０は、光起電力効果を利用し、光エネルギーを直接電力に変換する電力変換素子である。すなわち、光発電部１１０は受光した光Ｌによって発電する。なお、光発電部１１０は、電子機器１００に内蔵されていてもよいし、電子機器１００には内蔵されておらず、電力供給用コードなどによって電子機器１００に外部接続される構成であってもよい。
【００１６】
二次電池１６０は、例えば、リチウムイオン二次電池などの蓄電池であり、光発電部１１０が発電した電力を蓄電するとともに、蓄電している電力を放出する。なお、二次電池１６０は、電子機器１００に内蔵されていてもよいし、電子機器１００には内蔵されておらず、電力供給用コードなどによって電子機器１００に外部接続される構成であってもよい。
【００１７】
受電部１４０は、光発電部１１０が発電した電力を受電し、受電した電力を電子機器１００内の各部に供給する。また、受電部１４０は、二次電池１６０に電力を供給して二次電池１６０を充電するとともに、二次電池１６０が放電する電力を電子機器１００の各部に供給する。光発電部１１０が電子機器１００に内蔵されている場合には、受電部１４０とは、例えば、電子機器１００に内蔵されている配線である。また、光発電部１１０が電子機器１００に外部接続される構成である場合には、受電部１４０とは、例えば、電子機器１００の外部充電端子である。
【００１８】
制御部１５０は、例えば、ＣＰＵ（Central Processing Unit）を備えており、電子機器１００の各部から取得した情報に基づいて演算を行い、演算結果に基づいて電子機器１００の各部を制御する。
【００１９】
記憶部１７０は、制御部１５０が演算を行うための情報や、制御部１５０の演算結果を記憶する。この記憶部１７０には、予め給電情報が記憶されている。上述したように、この給電情報とは、例えば、表示部１２０の位置を基準にした光発電部１１０の位置を示す情報である。より具体的には、この給電情報とは、光発電部１１０がＸ方向のＸ１からＸ２までの範囲にあることを示す情報である。
【００２０】
表示部１２０は、例えば、液晶表示パネルを備えており、この液晶表示パネルに光発電部１１０に関する給電情報を表示する。具体的には、表示部１２０は、記憶部１７０が記憶している給電情報を、制御部１５０の制御により表示する。
【００２１】
次に、光照射装置２００について説明する。光照射装置２００は、撮像部２１０と、制御部２２０と、照射部２４０と、記憶部２５０とを備えている。撮像部２１０は、撮像範囲ＩＡ（図２を参照）の画像を撮像する。この撮像範囲ＩＡ内に電子機器１００が置かれている場合について以下説明する。すなわち、撮像部２１０が撮像した画像に、電子機器１００の画像が含まれる場合について以下説明する。
【００２２】
記憶部２５０は、制御部２２０が演算を行うための情報や、制御部２２０の演算結果を記憶する。この記憶部２５０には、予め給電情報を示す画像の情報が記憶されている。具体的には、給電情報が２次元コードである場合に、記憶部２５０には、２次元コードの位置検出を行うための画像が記憶されている。例えば、この２次元コードが、位置検出を行うためのマーカーが表示されるマーカー領域と、符号化された情報が表示される情報領域とを有する場合、記憶部２５０には、位置検出を行うためのマーカーの画像が記憶されている。以下、給電情報が、位置検出を行うためのマーカーが表示されるマーカー領域と、符号化された情報が表示される情報領域とを有する２次元コードである場合について説明する。
【００２３】
制御部２２０は、例えば、ＣＰＵ（Central Processing Unit）を備えており、光照射装置２００の各部から取得した情報に基づいて演算を行い、演算結果に基づいて光照射装置２００の各部を制御する。この制御部２２０は、取得部２２１を備えている。取得部２２１は、例えば画像処理の演算を行う画像処理プロセッサを備えており、撮像部２１０が撮像した画像の中から、所定の画像を抽出する。ここで、所定の画像とは、例えば、電子機器１００の表示部１２０が表示する給電情報の画像である。取得部２２１は、例えば、既存のパターンマッチング手法により記憶部２５０が予め記憶している２次元コードの位置検出用マーカーの画像の情報と、撮像部２１０が撮像した画像とを比較して、撮像部２１０が撮像した画像のなかに、２次元コードの画像が含まれているか否かを判定する。取得部２２１は、撮像部２１０が撮像した画像のなかに２次元コードの画像が含まれていると判定した場合には、位置検出用マーカーによって２次元コードの位置、大きさおよび方向を検出する。また、取得部２２１は、検出した２次元コードの情報領域の画像に含まれる符号化された情報を復号して、２次元コードの情報を取得する。上述したように、この２次元コードの情報には、光発電部１１０が図１に示すＸ１からＸ２までの範囲にあることを示す情報が含まれている。すなわち、取得部２２１は、電子機器１００の画像から、電子機器１００に表示される情報であって、受光した光Ｌによって発電した電力を電子機器１００に供給する光発電部１１０に関する給電情報を取得する。
【００２４】
照射部２４０は、例えば、プロジェクタを備えており、撮像範囲ＩＡ（図２を参照）内の領域に光を照射する。この照射部２４０は、光学部材２４１と、駆動部２４２とを備えている。光学部材２４１は、例えば、ズームレンズやこのズームレンズを支持するジンバル機構を備えており、光Ｌの照射範囲を可変にする。すなわち、光学部材２４１は、照射範囲を定める。駆動部２４２は、例えば、ズームレンズの駆動用モータや、ジンバル機構の駆動用モータを備えており、光学部材２４１を駆動して、光Ｌの照射範囲を変化させる。すなわち、駆動部２４２は、光学部材２４１を駆動する。
【００２５】
制御部２２０は、取得部２２１が取得した光発電部１１０の位置を示す情報に基づいて、撮像範囲ＩＡ内における光発電部１１０の位置を算出する。また、制御部２２０は、算出した光発電部１１０の位置に光Ｌが照射されるように、照射部２４０の駆動部２４２に指示を出力する。
【００２６】
より具体的な例について以下説明する。この例において、光発電部１１０の位置を示す情報とは、光発電部１１０が図１に示す電子機器座標系におけるｘ１からｘ２までの範囲にあることを示す情報である。制御部２２０は、上述したように、位置検出用マーカーによって撮像範囲座標系における２次元コードの位置、大きさおよび方向を検出する。制御部２２０は、検出した２次元コードの位置に基づいて電子機器座標系における基準位置を算出する。また、制御部２２０は、検出した２次元コードの方向に基づいて電子機器座標系のｘ方向を算出する。また、制御部２２０は、算出した基準位置およびｘ方向と、取得部２２１が取得した電子機器座標系における光発電部１１０の位置を示す情報とに基づいて、撮像範囲座標系における光発電部１１０の位置を算出する。制御部２２０は、このようにして算出した撮像範囲座標系における光発電部１１０の位置に基づいて、駆動部２４２の駆動量を算出し、算出した駆動量を駆動部２４２に出力する。出力された駆動部２４２の駆動量に基づき、駆動部２４２は、光学部材２４１のズームレンズおよびジンバル機構を駆動する各モータを駆動し、光Ｌの照射方向および照射範囲を制御する。すなわち、照射部２４０は、取得部２２１が取得した給電情報に基づく照射状態によって光Ｌを照射する。ここで、照射状態には、照射位置、照射範囲、照射強度、照射波長、照射パターン（例えば、点滅パターンや連続点灯パターン）、光量等が含まれる。
【００２７】
すなわち、給電情報には、光発電部１１０の受光範囲を示す情報が含まれている。また、照射部２４０は、給電情報が示す受光範囲と光Ｌの照射範囲とが重なるようにして、照射範囲を制御し、制御した照射範囲に光Ｌを照射する。換言すると、この照射範囲は、給電情報が示す受光範囲とほぼ一致するような範囲である。
【００２８】
電子機器１００の光発電部１１０は、照射された光Ｌにより発電し、発電した電力を受電部１４０に出力する。受電部１４０は、光発電部１１０が発電した電力を電子機器１００内の各部に供給する。
【００２９】
［光照射システムの動作］
次に、図４を参照して、本実施形態の光照射システム１の動作の一例について説明する。図４は、本実施形態の光照射システム１の動作の一例を示すフローチャートである。
光照射装置２００の取得部２２１は、撮像部２１０が撮像した画像から電子機器１００の給電情報を取得する（ステップＳ１０）。次に、取得部２２１は、この電子機器１００が表示する給電情報が取得できたか否かを判定する（ステップＳ２０）。取得部２２１は、給電情報が取得できたと判定した場合（ステップＳ２０：ＹＥＳ）には、処理をステップＳ３０に進める。ここで、給電情報が取得できた場合には、撮像範囲ＩＡ内に電子機器１００があって、撮像部２１０が表示部１２０の画像を撮像できた場合が含まれる。一方、取得部２２１は、給電情報が取得できないと判定した場合（ステップＳ２０：ＮＯ）には、処理を終了する。ここで、給電情報が取得できない場合には、撮像範囲ＩＡ内に電子機器１００がない場合や、電子機器１００が裏返しに置かれており撮像部２１０から表示部１２０が見えない場合などが含まれる。
【００３０】
次に、取得部２２１は、ステップＳ１０において取得した給電情報から、照射範囲を示す情報を取得する（ステップＳ３０）。次に、制御部２２０は、ステップＳ３０において取得した照射範囲を示す情報に基づいて、駆動部２４２の駆動量を算出し、算出した駆動量を駆動部２４２に出力する。駆動部２４２は、制御部２２０が算出した駆動量によって、光学部材２４１を駆動する（ステップＳ４０）。
【００３１】
次に、照射部２４０は、光Ｌを照射する（ステップＳ５０）。次に、制御部２２０は、照射部２４０が照射する光Ｌの光量が、規定の光量に達したか否かを判定する（ステップＳ６０）。具体的には、制御部２２０は、照射部２４０が光Ｌを照射している時間を計時して、この時間が規定時間に達したか否かを判定することにより、規定の光量に達したか否かを判定する。制御部２２０は、規定の光量に達していないと判定した場合（ステップＳ６０：ＮＯ）には、処理をステップＳ５０に戻して光Ｌの照射を継続する。一方、制御部２２０は、規定の光量に達したと判定した場合（ステップＳ６０：ＹＥＳ）には、照射部２４０による光Ｌの照射を終了し、処理を終了する。
【００３２】
以上説明したように、本実施形態の光照射システム１は、光照射装置２００と、電子機器１００とを備えている。この光照射装置２００は、撮像部２１０と、取得部２２１と、照射部２４０とを備えることにより、電子機器１００が表示する給電情報に基づいて、光Ｌを電子機器１００の光発電部１１０に照射する。ここで、撮像範囲ＩＡは、撮像部２１０の画角によって定められる。また、上述した光学部材２４１を支持するジンバル機構等により、照射部２４０が光Ｌを照射可能な範囲を、撮像範囲ＩＡに相当する範囲にすることができる。このため、この撮像部２１０の画角と、ジンバル機構の可動域を広くすることにより、充電可能な範囲を広範囲にすることができる。これによりユーザは、撮像範囲ＩＡ内であれば、電子機器１００をいずれの場所においても電子機器１００を充電することができる。すなわち、電子機器１００を充電可能な範囲が、給電可能な所定に位置に限定される場合に比べて、ユーザの利便性を向上させることができる。すなわち、本実施形態の光照射システム１は、ユーザの利便性を向上させることができる。
【００３３】
また、本実施形態の光照射システム１によれば、光Ｌの照射範囲を電子機器１００の光発電部１１０に限定することができるため、照射する光Ｌのうち、発電に寄与しない光Ｌを低減することができる。すなわち、本実施形態の光照射システム１によれば、消費電力を低減することができる。
【００３４】
なお、給電情報には、光発電部１１０が要求する光量を示す情報が含まれていてもよい。この場合には、照射部２４０は、給電情報に基づく光量によって、電子機器１００の光発電範囲に光Ｌを照射する。具体的には、電子機器１００の制御部１５０は、二次電池１６０の残量を検出し、この残量と光発電部１１０の発電効率に応じた要求光量を算出する。また、制御部１５０は、算出した要求光量を含む給電情報を２次元コードに符号化して、この符号化した要求光量を含む給電情報を表示部１２０に表示する。光照射装置２００の取得部２２１は、撮像部２１０が撮像した給電情報に含まれる要求光量を取得し、光Ｌの照射時間を設定する。次に、光照射装置２００は、上述したステップＳ３０からステップＳ６０によって光Ｌを照射する。これにより、光照射装置２００は、電子機器１００の要求光量に応じた照射時間によって光Ｌを照射する。したがって、光照射装置２００は、電子機器１００の充電状態に応じた時間だけ光Ｌを照射することができる。このため、光照射装置２００は、照射する光量が所定値に固定されている場合に生じる、電子機器１００が満充電になる前に照射を終了したり、電子機器１００が満充電になっても照射を継続したりする頻度を低減することができる。
【００３５】
また、光照射装置２００は、電子機器１００が表示する充電状態を示す情報に基づいて、照射する光量を算出してもよい。ここで、充電状態を示す情報とは、例えば、第２表示部１３０の充電状態表示領域１３１に表示されるバーグラフである（図１を参照）。この場合には、取得部２２１は、撮像部２１０が撮像した画像に電子機器１００の画像が含まれる場合に、電子機器１００の画像から、電子機器１００に表示される情報であって、当該電子機器１００の充電状態を示す情報を取得する。また、制御部２２０は、電子機器１００の充電状態を示す情報に基づいて、光Ｌの照射時間を算出する。照射部２４０は、制御部２２０が算出した照射時間によって光Ｌを照射する。すなわち、照射部２４０は、取得部２２１が取得した充電状態を示す情報に基づく光量の光Ｌを照射する。このように構成しても、光照射装置２００は、照射する光量が所定値に固定されている場合に生じる、電子機器１００が満充電になる前に照射を終了したり、電子機器１００が満充電になっても照射を継続したりする頻度を低減することができる。また、このように構成することにより、電子機器１００が要求光量を算出しなくてもよいため、電子機器１００の構成を簡素化することができる。
【００３６】
また、上述の場合において、照射部２４０は、取得部２２１が取得した充電状態を示す情報が充電の完了を示す場合に、光Ｌの照射を停止するように構成してもよい。具体的には、電子機器１００の充電状態表示領域１３１に表示されるバーグラフが１００％（または、１００％に近い所定のしきい値以上の値）を示す場合には、照射部２４０は、光Ｌの照射を停止する。このように構成しても、光照射装置２００は、照射する光量が所定値に固定されている場合に生じる、電子機器１００が満充電になる前に照射を終了したり、電子機器１００が満充電になっても照射を継続したりする頻度を低減することができる。また、このように構成することにより、光照射装置２００は、照射時間を算出しなくてもよいため、光照射装置２００の構成を簡素化することができる。
【００３７】
［第２の実施形態］
次に、本発明の第２の実施形態に係る光照射システム１ａについて、図５を参照して説明する。本実施形態の光照射システム１ａは、光照射装置２００ａが算出部２２２を備える点において、上述した実施形態と相違する。なお、上述した実施形態と同一の構成については、同一の符号を付してその説明を省略する。
【００３８】
図５は、本発明の第２の実施形態に係る光照射システム１ａの構成の一例を示す構成図である。この光照射システム１ａは、算出部２２２を含む制御部２２０ａを備えている。
【００３９】
算出部２２２は、撮像部２１０が撮像した画像に、光発電部１１０の画像が含まれる場合に、光発電部１１０の画像が示す光発電部１１０の位置に基づいて、照射部２４０が照射する光Ｌが光発電部１１０に入射する入射角を算出する。ここで、照射部２４０が照射する光Ｌが、光発電部１１０に入射する入射角が小さくなることがある。一例として、電子機器１００が撮像範囲ＩＡ内の周辺部に傾けておかれている場合には、照射部２４０が照射する光Ｌが、光発電部１１０に入射する入射角が小さくなる。この場合には、光発電部１１０において光Ｌが全反射することがあり、発電が効率的に行われない結果、光Ｌを照射しても電子機器１００の二次電池１６０が十分に充電されないことがある。そこで、算出部２２２は、撮像範囲座標系における光発電部１１０の位置を、撮像部２１０が撮像した画像に基づいて算出することにより、光発電部１１０への入射角を算出する。制御部２２０ａは、算出された入射角に基づいて、光発電部１１０において全反射が発生するか否かを判定する。具体的には、制御部２２０ａは、算出された入射角が所定の角度以下である場合には、全反射が発生すると判定する。
【００４０】
また、制御部２２０ａは、全反射が発生すると判定した場合には、発電の効率が低下することを示す情報をユーザに提示する。例えば、制御部２２０ａは、照射部２４０の光学部材２４１を駆動部２４２によって駆動して、算出部２２２が算出した入射角が所定の範囲である場合に、照射状態を示す情報を受光範囲外に照射する。ここで、照射状態を示す情報とは、照射される光Ｌの入射角が小さいため、発電効率が低下することを示す情報である。具体的には、照射状態を示す情報とは、発電効率の低下を示す文字の画像や、発電効率の低下を示す記号の画像である。照射状態を示す情報が表示されることにより、ユーザは発電効率が低下していることに気づくことができる。これにより、ユーザは、発電効率が低下しない状態にして、電子機器１００を置きなおすことができる。
【００４１】
以上説明したように、本実施形態の光照射システム１ａは、照射する光Ｌの入射角が小さい場合には、発電の効率が低下することを示す情報をユーザに提示することができる。
【００４２】
なお、表示部１２０が液晶表示パネルを備えている構成について説明したが、これに限られない。表示部１２０とは、電子機器の表面に付された模様や記号であってもよい。例えば、光発電部１１０の位置を示すなど、給電情報の内容を更新しなくてもよい場合には、表示部１２０は、電子機器の表面に付されたステッカーであってもよい。例えば、表示部１２０には、給電情報を示す２次元コードが描かれているステッカーが貼付されていてもよい。このように構成することにより、表示部１２０の構成を簡素化することができる。また、表示部１２０は、第２表示部１３０の一部であってもよい。すなわち、第２表示部１３０の一部に給電情報が表示されていてもよい。
【００４３】
なお、電子機器１００は、光照射装置２００（または、光照射装置２００ａ。以下の説明において同じ。）から所定のパターンの点滅光が照射された場合に、表示部１２０に給電情報を表示してもよい。また、この場合において、電子機器１００は、給電情報を表示するための電力を、給電情報の表示に先立って光照射装置２００から供給される構成であってもよい。すなわちこの場合、照射部２４０は、電子機器１００が給電情報を表示するために必要な電力に応じた光量の光Ｌを照射するとともに、当該光量の光Ｌを照射した後に点滅光を照射する。またこの場合、撮像部２１０は、照射部２４０が点滅光を照射した後に、電子機器１００が表示した給電情報を撮像する。このように構成することにより、光照射装置２００は、電子機器１００が給電情報を表示するタイミングを制御することができる。これにより、電子機器１００は、常に給電情報を表示していなくてもよいため、電子機器１００の消費電力を低減することができる。
【００４４】
なお、照射部２４０が照射する光Ｌは、光発電部１１０が発電できる周波数帯域の光であればよく、可視光であってもよい。この場合には、照射部２４０は、取得部２２１が取得した給電情報に基づく照射状態によって、可視光である光Ｌを照射する。また、照射部２４０が照射する光Ｌは、可視光以外の周波数帯域の光であってもよい。例えば、照射部２４０が照射する光Ｌは、赤外線や紫外線であってもよい。この場合には、照射部２４０が照射する光Ｌをユーザに意識させることなく電子機器１００を充電することができる。
【００４５】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【００４６】
なお、上記の実施形態における各装置（電子機器１００、および、光照射装置２００、以下、これらを総称して電子装置と記載する。）が備える各部は、専用のハードウェアにより実現されるものであってもよく、また、メモリおよびマイクロプロセッサにより実現させるものであってもよい。
【００４７】
なお、電子装置が備える各部は、メモリおよびＣＰＵ（中央演算装置）により構成され、電子装置が備える各部の機能を実現するためのプログラムをメモリにロードして実行することによりその機能を実現させるものであってもよい。
【００４８】
また、電子装置が備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【００４９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００５０】
１…光照射システム、１００…電子機器、１１０…光発電部、１２０…表示部、１３０…第２表示部、１４０…受電部、１５０…制御部、２００…光照射装置、２１０…撮像部、２２０…制御部、２２１…取得部、２２２…算出部、２４０…照射部、２４１…光学部材、２４２…駆動部
【図１】
2014225072.tif 000003
【図２】
2014225072.tif 000004
【図３】
2014225072.tif 000005
【図４】
2014225072.tif 000006
【図５】
2014225072.tif 000007